(57)【特許請求の範囲】
【請求項１】
互いに接続されたマスタ機として機能するＰＯＳ端末装置であるＰＯＳ端末親機と、スレーブ機として機能するＰＯＳ端末装置であるＰＯＳ端末子機と、を備えたＰＯＳシステムにおいて、
前記ＰＯＳ端末親機は、
抽選対象を設定選択する抽選対象設定選択機能と、
前記抽選対象設定選択機能によって設定選択された前記抽選対象を前記ＰＯＳ端末子機に配信する配信機能と、
前記抽選対象設定選択機能によって設定選択された前記抽選対象に対して抽選処理を行う抽選機能と、を有し、
前記ＰＯＳ端末子機は、
前記ＰＯＳ端末親機から受信した前記抽選対象に対して抽選処理を行う抽選機能を有し、
前記ＰＯＳ端末親機及び前記ＰＯＳ端末子機は、前記抽選処理後、当選確定した時点で、ＰＯＳ端末親機及びＰＯＳ端末子機間で同期処理を行って当選出数を管理し、当選出数総数に応じて抽選実施可否を判断する機能と、を有することを特徴とするＰＯＳシステム。
【請求項２】
請求項１に記載のＰＯＳシステムにおいて、
複数の前記ＰＯＳ端末子機を備えることを特徴とするＰＯＳシステム。
【請求項３】
請求項１または２に記載のＰＯＳシステムにおいて、
会計日時をシード値として擬似乱数を生成し、該擬似乱数と、当選確率と、を用いて、前記抽選処理を行うことを特徴とするＰＯＳシステム。
【請求項４】
互いに接続されたマスタ機として機能するＰＯＳ端末装置であるＰＯＳ端末親機と、スレーブ機として機能するＰＯＳ端末装置であるＰＯＳ端末子機と、配信装置とを備えたＰＯＳシステムにおいて、
前記配信装置は、
抽選対象を設定選択し、
設定選択された前記抽選対象を前記ＰＯＳ端末親機に配信するものであり、
前記ＰＯＳ端末親機は、
前記配信装置から受信した前記抽選対象を前記ＰＯＳ端末子機に配信する配信機能と、
前記配信装置から受信した前記抽選対象に対して、抽選処理を行う抽選機能と、を有し、
前記ＰＯＳ端末子機は、
前記ＰＯＳ端末親機から受信した前記抽選対象に対して、抽選処理を行う抽選機能を有し、
前記ＰＯＳ端末親機及び前記ＰＯＳ端末子機は、前記抽選処理後、当選確定した時点で、ＰＯＳ端末親機及びＰＯＳ端末子機間で同期処理を行って当選出数を管理し、当選出数総数に応じて抽選実施可否を判断する機能と、を有することを特徴とするＰＯＳシステム。
【請求項５】
請求項４に記載のＰＯＳシステムにおいて、
複数の前記ＰＯＳ端末子機を備えることを特徴とするＰＯＳシステム。
【請求項６】
請求項４または５に記載のＰＯＳシステムにおいて、
会計日時をシード値として擬似乱数を生成し、該擬似乱数と、当選確率と、を用いて、前記抽選処理を行うことを特徴とするＰＯＳシステム。
【発明の詳細な説明】
【技術分野】
【０００１】
本発明は、懸賞機能を備えたＰＯＳ(point of sales)システムに関する。
【背景技術】
【０００２】
従来のＰＯＳシステムでは、会計金額をディスカウントするなどのキャンペーンを行う場合には以下課題があった。
【０００３】
（１）スクラッチカード等のくじを使用しなければならない。
【０００４】
（２）会計にオペレータがディスカウントやキャッシュバック金額をＰＯＳ端末装置に入力するなどの操作が別途必要である。
【０００５】
（３）一定の確率で当選結果を変動させる機能とＰＯＳ会計処理とを自動連動させるシステムが無い。
【０００６】
本発明は、ＰＯＳ会計時に予め設定された複数の懸賞に対して会計データ（時間や金額等）を元にした抽選を行い、抽選の結果、当選金額をキャッシュバックするなどのキャンペーンを展開する事を可能とするＰＯＳシステムに関する。
【０００７】
特開２００３−７７０６３号公報（特許文献１）は、図１、図３、及び段落［００２５］に、レシート明細欄に特典情報欄が付加されたレシートを印字出力する抽選機能付きＰＯＳシステムを開示している。前記特典情報欄は、キャッシュバックする当選金額が印字された当選券である。抽選機能付きＰＯＳシステムは、ＰＯＳ端末装置と、ＰＯＳ端末装置に接続され抽選処理を実行するデータ処理装置とを備えている（段落［００３０］〜［００３２］）。抽選処理はＰＯＳ端末装置側で行うようにしても良い（段落［００３２］）。
【先行技術文献】
【特許文献】
【０００８】
【特許文献１】特開２００３−７７０６３号公報
【発明の概要】
【発明が解決しようとする課題】
【０００９】
しかしながら、上記特許文献１は、ＰＯＳシステムにおいて抽選対象を設定にて選択可能とすることを開示していない。
【００１０】
本発明の目的は、抽選対象を設定にて選択可能である懸賞機能を備えたＰＯＳシステムを提供することにある。
【課題を解決するための手段】
【００１１】
本発明の第１の態様によれば、
ＰＯＳ端末装置を備えたＰＯＳシステムにおいて、
前記ＰＯＳ端末装置は、
抽選対象をテーブルに設定にて選択する抽選対象設定選択機能と、
前記テーブルに設定選択された抽選対象に対して抽選を行う抽選機能とを有することを特徴とするＰＯＳシステムが得られる。
【００１２】
本発明の第２の態様によれば、
互いに接続された複数のＰＯＳ端末装置を備えたＰＯＳシステムにおいて、
前記複数のＰＯＳ端末装置のうちの一つは、
抽選対象をテーブルに設定にて選択する抽選対象設定選択機能と、
前記テーブルに設定選択された抽選対象を前記複数のＰＯＳ端末装置のうちの残りのものに配信する配信機能とを有し、
前記複数のＰＯＳ端末装置のうちの前記残りのものは、
前記配信機能によって配信された抽選対象に対して抽選を行う抽選機能を有することを特徴とするＰＯＳシステムが得られる。
【００１３】
本発明の第３の態様によれば、
互いに接続された複数のＰＯＳ端末装置と、配信装置とを備えたＰＯＳシステムにおいて、
前記配信装置は、抽選対象をテーブルに設定にて選択し、前記テーブルに設定選択された抽選対象を前記複数のＰＯＳ端末装置のうちの一つに配信するものであり、
前記複数のＰＯＳ端末装置のうちの前記一つは、前記配信装置によって配信された抽選対象を前記複数のＰＯＳ端末装置のうちの残りのものに配信する配信機能を有し、
前記複数のＰＯＳ端末装置のうちの前記残りのものは、前記配信機能によって配信された抽選対象に対して抽選を行う抽選機能を有することを特徴とするＰＯＳシステムが得られる。
【発明の効果】
【００１４】
本発明によれば、抽選対象を設定にて選択可能であるＰＯＳシステムを提供することができる。
【図面の簡単な説明】
【００１５】
【図１】本発明の第１の実施形態によるＰＯＳシステムで用いられる抽選処理を説明するための図である。
【図２】上記第１の実施形態によるＰＯＳシステムで用いられる懸賞関連マスタを説明するための図である。
【図３】上記第１の実施形態によるＰＯＳシステムで用いられるＰＯＳ会計画面を示した図である。
【図４】上記第１の実施形態によるＰＯＳシステムで用いられる会計レシートを示した図である。
【図５】上記第１の実施形態によるＰＯＳシステムのシステム構成を示した図である。
【図６】図５に示したＰＯＳ端末子機１２の動作を説明するためのフローチャートである。
【図７】上記第１の実施形態によるＰＯＳシステムにて用いられる商品グループ別設定マスタのサンプルを示す図である。
【図８】上記第１の実施形態によるＰＯＳシステムにて用いられるメニューマスタのサンプルを示す図である。
【図９】上記第１の実施形態の抽選処理から同期処理までの動作を示したフローチャートである。
【図１０】上記第１の実施形態の懸賞マスタのデータ概要を示した図である。
【図１１】上記第１の実施形態の懸賞マスタのデータ概要を示した図である。
【図１２】上記第１の実施形態の懸賞パターンマスタのデータ概要を示した図である。
【図１３】上記第１の実施形態の懸賞パターンマスタのデータ概要を示した図である。
【図１４】上記第１の実施形態の懸賞個別マスタのデータ概要を示した図である。
【発明を実施するための形態】
【００１６】
以下、本発明の第１の実施形態によるＰＯＳシステムについて図面を参照して説明する。
【００１７】
本発明では全て予め設定されているパラメータを用いる事で、前述課題を下記手法で解決する事が可能である。即ち、本発明の第１の実施形態によるＰＯＳシステムは、複数のＰＯＳ端末装置を含み、後に詳述するように、「ＰＯＳシステムにおいて抽選対象を設定にて選択可能とする」点、及び「複数のＰＯＳ端末装置の各々が、当選出数の管理を行い、当選出数総数に応じて次の抽選実施可否を判断する」点を特徴とする。
【００１８】
（ＳＡ１）くじに代わる抽選処理は、複数のＰＯＳ端末装置の各々の内部の抽選装置にてランダムに当選結果を出力する。
【００１９】
抽選装置は、シード値（会計日時）を用いた擬似乱数を生成し、生成された擬似乱数及び懸賞マスタの当選確率を使用して、図１の抽選処理に従って、当選落選情報を出力する。ここで、「マスタ」とは、各ＰＯＳ端末装置内部の抽選装置中の記憶装置に設定されるテーブルのことである。
【００２０】
（ＳＡ２）抽選装置にて当選結果が得られた場合、予め設定されている、懸賞関連マスタのパラメータ１００（図２）と会計金額を使用してキャッシュバック金額を自動的に算出する。ここで、懸賞関連マスタは、図２に示す懸賞パターンマスタ、懸賞マスタ、及び懸賞個別マスタを含む。また、キャッシュバック金額を自動的に算出するのに使用する主なパラメータは、当選確率、キャッシュバック上限金額（又はキャッシュバック上限率）、抽選最低金額などである。
【００２１】
（ＳＡ３）当選した場合、上記（ＳＡ２）にて得られたキャッシュバック金額をＰＯＳ会計終了画面（図３）及びレシート（図４）に出力する。
【００２２】
なお、本発明の第１の実施形態によるＰＯＳシステムでは、会計日時（シード値）と既知の高精度擬似乱数生成アルゴリズムを用いる事で偏りの少ない（精度の高い）抽選アルゴリズムを生成する事が出来る。
【００２３】
又、店舗のオペレーション負担といった観点からも自動的にキャッシュバック金額や返金計を算出する事で、通常会計と比較して最小限のオペレーション追加でサービス提供する事が可能となる。
【００２４】
次に上記第１の実施形態によるＰＯＳシステムについてより詳細に説明する。
【００２５】
上記第１の実施形態では、
（ＳＢ１）各ＰＯＳ端末装置にて会計処理を行う。
【００２６】
（ＳＢ２）上記会計処理における会計日時（シード値）を用いて擬似乱数を生成し、図１の抽選処理（アルゴリズム）に基づき当該会計処理の当選落選情報を取得する。
【００２７】
（ＳＢ３）当選した場合、予め設定されている懸賞関連マスタ（図２）のパラメータと会計金額を用いてキャッシュバック金額を算出する。
【００２８】
（ＳＢ４）算出されたキャッシュバック金額をＰＯＳ会計画面（図３）起動・音声ファイル鳴動及び会計レシート（図４）に出力する。
【００２９】
（ＳＢ５）出力された情報を元にお客様へキャッシュバックを行う。
【００３０】
図５を参照すると、上記第１の実施形態のシステム構成が示されている。図５に示されたシステムは、オーダーエントリシステム(Order Entry System)１０と本部情報システム２０とを有し、オーダーエントリシステム１０と本部情報システム２０とは、インターネット、具体的にはInternet VPN(Virtual Private Network)、３０にて接続されている。
【００３１】
オーダーエントリシステム１０は、ＰＯＳ端末親機(Master機)１１と、ＰＯＳ端末子機(Slave機)１２とを有する。オーダーエントリシステム１０は、一般に、他のＰＯＳ端末子機(Slave機)をも有するが、他のＰＯＳ端末子機(Slave機)は図示を省略している。ＰＯＳ端末親機１１及びＰＯＳ端末子機１２はハブ１４に接続されている。図示していない他のＰＯＳ端末子機(Slave機)も、ハブ１４に接続される。プリンタ１５は、ＰＯＳ端末親機(Master機)１１に接続されている。
【００３２】
本部情報システム２０は、基幹システム２１に接続されたリアル着信データサーバー２２と、メニュー作成・配信ＰＣ(Personal Computer)２３とを備えている。
【００３３】
ＰＯＳ端末親機１１は、リアル集信データを、ハブ１４、VPNルータ１３、及びインターネット３０を介して、本部情報システム２０内のリアル着信データサーバー２２へ送る。本部情報システム２０内のメニュー作成・配信ＰＣ２３は、作成した配信データを、インターネット３０、VPNルータ１３、及びハブ１４を介して、オーダーエントリシステム１０内のＰＯＳ端末親機１１へ送る。
【００３４】
ＰＯＳ端末親機１１は、ＰＯＳ端末子機１２と同様のＰＯＳ端末装置としての機能と、本部情報システム２０内のリアル着信データサーバー２２及びメニュー作成・配信ＰＣ２３と通信する機能とを有する。
【００３５】
オーダーエントリシステム１０においては、ハブ１４には、表示装置ＫＤ、プリンタＫＰ、及びＷＡＰ(Wireless Access Point)１６も、接続されている。ＷＡＰ１６は、管理用ＨＴ及び通常オーダー用ＨＴとして示された無線通信機器１７及び１８のＰＯＳ端末親機１１への無線接続を可能とする。
【００３６】
図５は、オーダーエントリシステム１０の構成要素である、互いに接続された複数のＰＯＳ端末装置１１及び１２を備えたＰＯＳシステムであると捉えることができる。このＰＯＳシステムにおいては、複数のＰＯＳ端末装置１１及び１２のうちの一つ（ＰＯＳ端末装置１１）は、抽選対象をテーブルに設定にて選択する抽選対象設定選択機能と、前記テーブルに設定選択された抽選対象を複数のＰＯＳ端末装置のうちの残りのもの（ＰＯＳ端末装置１２）に配信する配信機能とを有する。複数のＰＯＳ端末装置１１及び１２のうちの前記残りのもの（ＰＯＳ端末装置１２）は、前記配信機能によって配信された抽選対象に対して抽選を行う抽選機能を有する。
【００３７】
複数のＰＯＳ端末装置１１及び１２のうちの前記一つ（ＰＯＳ端末装置１１）は、前記テーブルに設定選択された抽選対象に対して抽選を行う抽選機能を更に有する。
【００３８】
複数のＰＯＳ端末装置１１及び１２のうちの前記一つ（ＰＯＳ端末装置１１）及び複数のＰＯＳ端末装置１１及び１２のうちの前記残りのもの（ＰＯＳ端末装置１２）は、それぞれ、当選出数の管理を行い、当選出数総数に応じて次の抽選実施可否を判断する機能を更に有する。
【００３９】
複数のＰＯＳ端末装置１１及び１２のうちの前記一つは、ＰＯＳ端末親機１１であり、複数のＰＯＳ端末装置１１及び１２のうちの前記残りのものは、ＰＯＳ端末子機１２である。
【００４０】
また、図５は、ＰＯＳ端末装置（ＰＯＳ端末親機）１１を備えたＰＯＳシステムであると捉えることもできる。このＰＯＳシステムにおいては、ＰＯＳ端末装置（ＰＯＳ端末親機）１１は、抽選対象をテーブルに設定にて選択する抽選対象設定選択機能と、前記テーブルに設定選択された抽選対象に対して抽選を行う抽選機能とを有する。
【００４１】
ＰＯＳ端末装置（ＰＯＳ端末親機）１１は、当選出数の管理を行い、当選出数総数に応じて次の抽選実施可否を判断する機能を更に有する。
【００４２】
更にまた、図５は、互いに接続された複数のＰＯＳ端末装置１１及び１２と、配信装置（メニュー作成・配信ＰＣ）２３とを備えたＰＯＳシステムであると捉えることもできる。このＰＯＳシステムにおいては、配信装置（メニュー作成・配信ＰＣ）２３は、抽選対象をテーブルに設定にて選択し、前記テーブルに設定選択された抽選対象を複数のＰＯＳ端末装置１１及び１２のうちの一つ（ＰＯＳ端末装置１１）に配信するものである。複数のＰＯＳ端末装置１１及び１２のうちの前記一つ（ＰＯＳ端末装置１１）は、配信装置（メニュー作成・配信ＰＣ）２３によって配信された抽選対象を複数のＰＯＳ端末装置１１及び１２のうちの残りのもの（ＰＯＳ端末装置１２）に配信する配信機能を有する。複数のＰＯＳ端末装置１１及び１２のうちの前記残りのもの（ＰＯＳ端末装置１２）は、前記配信機能によって配信された抽選対象に対して抽選を行う抽選機能を有する。
【００４３】
複数のＰＯＳ端末装置１１及び１２のうちの前記一つ（ＰＯＳ端末装置１１）は、配信装置（メニュー作成・配信ＰＣ）２３によって配信された抽選対象に対して抽選を行う抽選機能を更に有する。
【００４４】
複数のＰＯＳ端末装置１１及び１２のうちの前記一つ（ＰＯＳ端末装置１１）及び複数のＰＯＳ端末装置１１及び１２のうちの前記残りのもの（ＰＯＳ端末装置１２）は、それぞれ、当選出数の管理を行い、当選出数総数に応じて次の抽選実施可否を判断する機能を更に有する。
【００４５】
複数のＰＯＳ端末装置１１及び１２のうちの前記一つは、ＰＯＳ端末親機１１であり、複数のＰＯＳ端末装置１１及び１２のうちの前記残りのものは、ＰＯＳ端末子機１２である。
【００４６】
次に、図５に示したＰＯＳ端末子機(Slave機)１２の動作について図６を参照して説明する。なお、ＰＯＳ端末親機(Master機)１１のＰＯＳ端末装置としての動作も、以下に述べるＰＯＳ端末子機(Slave機)１２としての動作と同様である。
【００４７】
図６に示すように、ＰＯＳ端末子機１２は、会計処理を開始する。
【００４８】
（１）ＰＯＳ会計処理に伴い商品を入力する（商品入力）。
【００４９】
（２）小計金額確定（『会計』ボタン押下、小計金額算出）及び預り金を入力する（預り金入力）。預り金入力は例えばクーポン食券等入力であってもよい。
【００５０】
（３）キャッシュバック計算対象金額（即ち、会計金額）を確定する（会計金額算出／確定）。会計金額は合計金額及び釣銭金額である。
【００５１】
（４）ＰＯＳ端末子機１２内部の抽選装置に設定された懸賞マスタとキャッシュバック計算対象金額を基に抽選条件判断を行う（抽選条件判断）。その際、キャッシュドロアは抽選処理と関係無くオープンさせる(キャッシュボックスオープン)。
【００５２】
（５）抽選処理を行う（抽選処理）。
【００５３】
（６）落選した場合（懸賞落選確定）、レシートを出力して（レシート発行）会計終了する。当選した場合（懸賞等当選確定）、次の（７）以降の処理に続く。
【００５４】
（７）懸賞関連マスタを用いて暫定キャッシュバック金額を取得する。
【００５５】
（８）暫定キャッシュバック金額と「会計金額」や「キャッシュバック上限値」などを用いてキャッシュバック金額を確定する（キャッシュバック金額算出）。
【００５６】
（９）キャッシュバック金額と釣銭金額を合算して返金計を算出する（返金計確定）。
【００５７】
（１０）返金計を算出したタイミングでレシート(図４)を出力し（レシート発行）、ＰＯＳ端末子機１２上に当選ポップアップ画面（図３）を表示し（当選ポップアップ画面表示）、音声ファイル鳴動を行う（音声ファイル鳴動）。
【００５８】
なお、上記（４）〜上記(１０)までの処理時間は数ミリ秒とする。
【００５９】
（１１）当選ポップアップ画面を押下して（当選ポップアップ画面押下）、キャッシュドロアをクローズすると(キャッシュボックスクローズ)、表示ポップアップ画面がクローズして（当選ポップアップ画面消去）、会計処理を終了させる。
【００６０】
上記実施形態において、「ＰＯＳシステムにおいて抽選対象を設定にて選択可能とする」点に関して説明する。
【００６１】
ＰＯＳシステムでは、懸賞対象商品を設定にて選択可能な仕様となっている。
【００６２】
例えば、懸賞対象商品をテーブルに設定にて選択する機能は、上述のように、本部情報システム２０内のメニュー作成・配信ＰＣ２３にて行い、該テーブルに設定選択されたデータをＰＯＳ端末親機１１に配信する。ＰＯＳ端末親機１１は、配信されたデータを記憶し、記憶したデータをＰＯＳ端末子機１２に配信する。ＰＯＳ端末子機１２は、配信されたデータを記憶する。
【００６３】
或いは、これも上述したように、ＰＯＳ端末親機１１で、懸賞対象商品をテーブルに設定にて選択する機能を行い、該テーブルに設定選択されたデータをＰＯＳ端末子機１２に配信してもよい。
【００６４】
代りに、ＰＯＳ端末子機１２で、懸賞対象商品をテーブルに設定にて選択する機能を行い、該テーブルに設定選択されたデータをＰＯＳ端末親機１１を含む他のＰＯＳ端末装置に配信してもよい。
【００６５】
設定とは主にマスタの事を指し示すが、全部で４種類あり、下記にそれぞれの概要仕様を説明する。
【００６６】
＜抽選対象選択仕様＞
（１）会計単位抽選仕様
（設定方法）
・懸賞マスタ（図２）：懸賞種別（0：全額キャッシュバック、1：％キャッシュバック、2：金額キャッシュバック、3：商品プレゼント）にて設定する。 
・懸賞種別が’0’ or ’1’の場合、会計単位抽選設定となる。
【００６７】
（概要仕様）
・本仕様の抽選対象は会計データ全体となり、会計金額に対してキャッシュバック金額を算出する。
【００６８】
（２）入客数カウント対象商品抽選仕様
（設定方法）
・懸賞マスタ：懸賞種別（0：全額キャッシュバック、1：％キャッシュバック、2：金額キャッシュバック、3：商品プレゼント）と商品グループ設定マスタ（図７に商品グループ別設定マスタのサンプルを示す）にて設定する。 
・商品グループ別設定マスタは、商品コードをキーにして入客数としてカウントする対象の商品コード範囲を決定する。 
・懸賞種別が’2’ or ‘3’且つ会計データに入客数カウント対象商品が含まれていた場合、入客数カウント対象商品抽選設定となる。
【００６９】
（概要仕様）
・本仕様の抽選対象は入客数カウント対象商品毎となり、商品単価に対してキャッシュバック金額を算出します。 
・複数の商品に対して懸賞が当選した場合、最終キャッシュバック金額は、商品単位に算出したキャッシュバック金額の合算値となる。
【００７０】
（３）売上種別別抽選仕様
（設定方法）
・懸賞パターンマスタ（図２）：売上種別1〜4抽選フラグ（0：抽選有り、1：抽選無し）にて設定する。上記売上種別とは、EatInやTakeOutなどである。
【００７１】
（概要仕様）
・会計データの中でTakeOut会計やTakeOut商品を限定して抽選させたい場合、前述パラメーターを以下設定にします。 
”売上種別1抽選フラグ→1、売上種別2抽選フラグ→0、売上種別3抽選フラグ→1、売上種別4抽選フラグ→1” 
ここで、売上種別1：EatIn、売上種別2：TakeOut、売上種別3：Drive-Through、売上種別4：予備とする。 
・上記設定にした場合、特定売上種別のみ抽選させる事が可能となる。 
・売上種別は予めメニューマスタ（図８にメニューマスタのサンプルを示す）に設定されているパラメーターを参照する若しくは、会計時にPOS上で入力する。
【００７２】
（４）商品別抽選仕様
（設定方法）
・懸賞パターンマスタ：商品別抽選フラグ（0：絞込み無し、1：絞込み有り）とメニューマスタ：商品別抽選フラグ（0：抽選無し、1：抽選有り）にて設定する。 
・懸賞パターンマスタ：商品別抽選フラグを’1’且つメニューマスタ：商品別抽選フラグをそれぞれ’1’に設定する。 
懸賞パターンマスタ：商品別抽選フラグが’0’に設定されている場合、絞込みを行わない為、抽選対象商品の確定は他の設定（前述の（１）や（２））に依存する。
【００７３】
（概要仕様）
・懸賞パターンマスタ：商品別抽選フラグが’1’に設定されている場合、メニューマスタ：商品別抽選フラグが’1’の商品に限り抽選処理を行う。 
・特定の商品に限定して抽選権利を与えたい場合など本仕様を使用する。
【００７４】
次に、上記実施形態において、「ＰＯＳ端末子機１２（又はＰＯＳ端末親機１１）が当選出数の管理を行い、当選出数総数に応じて次の抽選実施可否を判断する」点に関して説明する。
【００７５】
・当選出数とは、抽選した結果、当選した実績値である。当選出数総数とは、ＰＯＳ端末親子システムにてＰＯＳ端末装置毎に発生した当選出数を合算した値である。
【００７６】
・当選出数管理が必要な理由：
店舗には予め懸賞毎（最大10種類）に当選出数上限値（最大4桁の数値）が設定される。
【００７７】
設定方法は本部情報システム２０（図５）からの配信方式で、懸賞個別マスタ（図２）に保存されている。
【００７８】
当選出数上限値は店舗毎且つ懸賞毎に管理（設定）され、ＰＯＳ端末装置はこれをそれぞれ記憶している。
【００７９】
本懸賞システムの基本仕様にて、懸賞キャンペーン期間内で当選出数上限値を超過した懸賞が発生した場合、当該懸賞に関しては次抽選処理自体をキャンセルする仕様がある。
【００８０】
つまりＰＯＳ端末装置毎の当選出数を合算した上で、当選出数上限値を用いて次抽選実施判断処理を行う必要がある。
【００８１】
・当選出数を同期処理するタイミング：
同期処理は当選したタイミングで当選当該ＰＯＳ端末装置がトリガーとなり行う。
【００８２】
・当選出数及び当選残数の管理方法：
各ＰＯＳ端末装置の当選出数実績値、当選出数総数、及び当選残数はＰＯＳ端末装置毎にＩＮＩファイル（テキストファイル）にて管理している。
【００８３】
当選出数実績値はＰＯＳ端末装置毎の当選出数実績値を、当選残数は懸賞毎の当選出数上限値より当選出数総数を減算した数値が格納されている。
【００８４】
・各ＰＯＳ端末装置が保持しているパラメータ：
「同期対象の他ＰＯＳ端末装置のＩＰアドレス」、「当選出数総数」、「同期対象の他ＰＯＳ端末装置毎の当選出数実績値」、「当選残数」、「当選出数上限値」、「当選確率」、「懸賞名称」など。
【００８５】
・同期式以外の本発明の機能実現方法：
本懸賞システムは抽選処理実施後、当選した場合、当選出数実績値を全ＰＯＳ端末装置間で同期する事で抽選処理前のスループット低下を回避している。
【００８６】
一方で抽選処理前にＰＯＳ端末親機（Master機）へ当選出数残数に関して問合せ処理を行い、抽選実施可否を判断させる構造とする事も可能である。
【００８７】
（当選残数一元管理方式）
・抽選処理から同期処理までの動作を図９に示す。
【００８８】
図９中において、「当選出数実績値を更新」とは、当選ＰＯＳ端末装置は、自身の当選出数実績値を＋１し、他ＰＯＳ端末装置は、記憶している各ＰＯＳ端末装置の当選出数実績値のうち、当選ＰＯＳ端末装置の当選出数実績値を＋１することを意味する。
【００８９】
「当選出数総数を更新」とは、各ＰＯＳ端末装置で、当選出数総数を＋１することを意味する。
【００９０】
「当選残数算出処理」とは、各ＰＯＳ端末装置で、当選残数を−１することを意味する。各ＰＯＳ端末装置で、（当選出数総数−当選出数上限値）で当選残数を算出してもよい。
【００９１】
・２４時間営業の営業形態の店舗では、ＰＯＳ端末親機（Master機）１１は、１日のある時間帯に１日の売上集計等の処理を行う必要があるため、ＰＯＳ端末子機１２と通信できない時間帯が存在する。このような２４時間営業の営業形態の店舗であっても、本実施形態に記載の方法（ＰＯＳ端末子機で当選出数の管理を行い、当選出数総数に応じて次の抽選実施可否を判断する）であれば、抽選を実施することができる。
【００９２】
・２４時間営業ではない営業形態の店舗では、次のような形態を取ることもできる。
【００９３】
（１）ＰＯＳ端末親機（Master機）１１ですべてのＰＯＳ端末子機１２の当選出数総数を管理し、ＰＯＳ端末子機１２では会計の都度ＰＯＳ端末親機（Master機）に抽選を行うか否かを問い合わせる形態
ｉ）ＰＯＳ端末子機１２で抽選を行い、当選がでたら、その都度ＰＯＳ端末親機１１に通知する。 
ii）ＰＯＳ端末親機（Master機）１１では、当選の通知を受けて、当選出数総数を更新する。 
iii）ＰＯＳ端末子機１２は、会計の都度、ＰＯＳ端末親機（Master機）１１に抽選を行うか否かを問い合わせ、ＰＯＳ端末親機（Master機）１１は、当選出数上限値と当選出数総数から抽選を行うか否かを判断し、結果をＰＯＳ端末子機１２に指示する。
【００９４】
（２）ＰＯＳ端末親機（Master機）１１ですべてのＰＯＳ端末子機１２の当選出数総数を管理するが、抽選を行うか否かはＰＯＳ端末子機１２で判断する形態
ｉ）ＰＯＳ端末子機１２で抽選を行い、当選がでたら、その都度ＰＯＳ端末親機１１に通知する。 
ii）ＰＯＳ端末親機（Master機）１１では、当選の通知を受けて、当選出数総数を更新し、これをすべてのＰＯＳ端末子機１２に通知する。 
iii）各ＰＯＳ端末子機１２は、通知を受けて、自身の当選出数総数を更新する。 
iv）ＰＯＳ端末子機１２は、会計の都度、自身の記憶装置に記憶している当選出数上限値と当選出数総数から抽選を行うか否かを判断する。
【００９５】
・同期処理について、更に追加説明する。
【００９６】
本ＰＯＳシステムはＰＯＳ端末装置複数台（親子）システムとなっており、各ＰＯＳ端末装置にて抽選処理を実施する。
【００９７】
又、当選出数を制限する「当選出数上限値」は店舗毎、つまり店舗内全ＰＯＳ端末装置の当選出数合算値に対して適用されるパラメーターとなる。
【００９８】
よってタイムリーに当選出数の総数を管理する事が必要になってくる為、当選出数の同期処理を実施する。
【００９９】
当選出数を各ＰＯＳ端末装置で管理する事で抽選実施前に対するスループット低下は避けられ、当選後、同期処理を行う事で当選出数総数を算出して、最終的に当選残数を出力する。
【０１００】
・同期処理は、懸賞抽選処理実施後（会計処理完了後）、当選確定した時点で全ＰＯＳ端末装置間で行う。
【０１０１】
・当選出数上限値は、本部情報システム２０内のメニュー作成・配信ＰＣ２３より受信するマスタデータにてＰＯＳ端末親機１１に設定される。当選出数上限値は、ＰＯＳ端末親機１１にてマスタ配信（受信）を行う事で任意に変更可能としてある。ＰＯＳ端末親機１１で設定し、マスタ配信してもよい。
【０１０２】
・抽選実施は、顧客には本ＰＯＳシステムのユーザーの広告にて事前に通知される。そして、抽選結果は会計終了後出力されるレシートに当落選結果と共に出力される。又、レシートだけでなく、当選時はＰＯＳ端末装置より音声ファイル（WAVEファイル）を再生し、会計終了画面上に当選ポップアップ画面を表示する。次抽選実施をやめる場合は、その旨がレシート上に出力される。又、ＰＯＳ端末装置の会計画面上に次抽選処理が行われない旨のマークを表示する。
【０１０３】
図１０及び図１１に、懸賞マスタのデータ概要を示し、図１２及び図１３に、懸賞パターンマスタのデータ概要を示し、図１４に、懸賞個別マスタのデータ概要を示す。
【０１０４】
上記実施形態による第１の効果は、キャンペーン用にくじなどの紙を使用しない事で環境に配慮している事である。
【０１０５】
上記実施形態による第２の効果は、抽選処理に関して擬似乱数を用いて自動的に行う為、出力される当落選情報に偏りが少ない事である。
【０１０６】
上記実施形態による第３の効果は、当選時、音声ファイル鳴動やポップアップ画面起動でサービスの提供忘れを防止する事で可能で、キャッシュバック金額を自動的に算出する為、現金授受を簡易的且つスピーディに行う事が可能である事である。
【０１０７】
更に、上記実施形態を応用することにより、以下キャンペーンを提供する事が可能となる。
【０１０８】
（１）売上種別別懸賞機能
例えば、ドライブスルーキャンペーンであって、その内容は、特定の売上種別（EatInやTakeOut、ドライブスルー）に絞込みをしたキャッシュバックキャンペーンを提供することができる。
【０１０９】
（２）商品別懸賞機能
例えば、カレー系商品キャンペーンであって、その内容は、特定の商品に絞込みをしたキャッシュバックキャンペーンを提供することができる。
【０１１０】
本発明は、ファーストフードやファミリーレストランといった外食産業用のＰＯＳシステムに適用できる。
【０１１１】
以上、実施形態を参照して本願発明を詳細に説明したが、本願発明は上記実施形態に限定されるものではない。本願発明の構成や詳細には、本願発明のスコープ内で当業者が理解できる様々な変更をすることができる。
【符号の説明】
【０１１２】
１０    オーダーエントリシステム
１１    ＰＯＳ端末親機
１２    ＰＯＳ端末子機
２０    本部情報システム
２３    メニュー作成・配信ＰＣ
３０    インターネット
【図１】
0005535537.tif 000002
【図２】
0005535537.tif 000003
【図３】
0005535537.tif 000004
【図４】
0005535537.tif 000005
【図５】
0005535537.tif 000006
【図６】
0005535537.tif 000007
【図７】
0005535537.tif 000008
【図８】
0005535537.tif 000009
【図９】
0005535537.tif 000010
【図１０】
0005535537.tif 000011
【図１１】
0005535537.tif 000012
【図１２】
0005535537.tif 000013
【図１３】
0005535537.tif 000014
【図１４】
0005535537.tif 000015